(57)【要約】【課題】パワーオフ制御部の作動を確実に行い、アラーム制御部が作動状態に設定されているときに、当該パワーオフ制御がなされることによってアラーム制御部の動作が行われなくなることを防止する。【解決手段】ディスク停止検出部２とアラーム部３とオフタイマ部４とを含んで構成されるディスク再生部１を含む電子機器の全体は、ＣＰＵ５によって複合的に制御される。ＣＰＵ５には、アラーム設定６とオフタイマ設定７と操作指令釦８が接続されている。アラーム部３は、アラーム設定６によって設定された設定時刻に到達したときにディスク再生開始動作を行わせるアラーム制御部を構成し、オフタイマ部４は、ディスク回転の停止動作が所定継続時間を超えたときに電源を実質的に切断させるパワーオフ制御部を構成する。操作指令釦８は、多数の操作釦で形成され、ディスク再生部１における再生動作の制御指令、アラームモード、オフタイマモードの特定を行う。【選択図】　　　図１
2004062988.tif 000002
【特許請求の範囲】
【請求項１】
設定時刻に到達したときに所定作動を行わせるアラーム制御部と、特定動作が所定継続時間を超えたときに電源を実質的に切断させるパワーオフ制御部を有する電子機器において、
前記アラーム制御部が上記設定時刻に作動を行わせるための待機状態にあるときに、前記パワーオフ制御部を非作動状態に制御する制御部を設けることを特徴とするアラーム機能付き電子機器。
【請求項２】
前記電子機器は、電源電池を主動作源とするように構成されたことを特徴とする請求項１に記載のアラーム機能付き電子機器。
【請求項３】
前記制御部は、前記パワーオフ制御部の前記特定動作を、各種操作指令キーの操作がなされない状態に構成することを特徴とする請求項１に記載のアラーム機能付き電子機器。
【請求項４】
前記電子機器は、ディスク再生及び／または記録をし得るように構成され、前記制御部は、前記パワーオフ制御部の前記特定動作を、前記ディスクの回転停止状態に構成することを特徴とする請求項１に記載のアラーム機能付き電子機器。
【請求項５】
前記制御部は、前記パワーオフ制御部によって前記電子機器の動作を複合的に制御するＣＰＵをスリープ状態に制御するように構成することを特徴とする請求項１に記載のアラーム機能付き電子機器。
【請求項６】
前記制御部は、前記アラーム制御部が上記設定時刻に作動を行わせるための待機状態にあるときに、前記パワーオフ制御部を作動状態に制御すると共に、前記アラーム制御部が上記設定時刻に達したときに前記所定作動を行わせるように制御する機能を付加して構成することを特徴とする請求項１乃至請求項５のいずれかに記載のアラーム機能付き電子機器。
【発明の詳細な説明】
【０００１】
【発明の属する技術分野】
本発明は、設定時刻に到達したときに所定作動を行わせるアラーム制御部と、特定動作が所定継続時間を超えたときに電源を実質的に切断させるパワーオフ制御部を有する電子機器に関する。
【０００２】
【従来の技術】
電池消耗を極力に少なくするために採用されるパワーオフ制御部の動作は、電池駆動のポータブル型のディスク再生装置の場合には、ディスク再生中には、パワーオフタイマ（例えば３分に設定されたタイマ）に一定の時間間隔でタイマセット動作を行い、特定動作、例えばディスクが停止状態になると当該パワーオフタイマへのセットを行わず、しかる後（３分後）に行われるタイムアップ時に自動的に電源オフ状態にしている。パワーオフ制御部における前記特定動作としては、ディスクの回転が停止されている状態の場合のみならず、各種操作指令キーの操作がなされない状態の場合もある。
【０００３】
例えば、図６に示すフローチャートのように、先ずステップＳ１でディスクが停止状態にあるか否かを判定し、Ｙｅｓの場合にはステップＳ３に進み、Ｎｏの場合にはパワーオフタイマに３分のセットを行った後にステップＳ３に進む。
【０００４】
ステップＳ３は、パワーオフタイマがタイムアップしたか否かを判定するもので、Ｎｏの場合には一連動作が終了とされ、Ｙｅｓの場合には、ステップＳ４に進んでパワーオフ制御、例えば動作電源を全て切断したり、ディスク再生装置の全体を制御するためのＣＰＵの動作を時計回路等の必要最小限の回路部への電源供給を行い、他の回路への電源供給を断つというスリープ動作に移行させることによって一連動作が終了とされる。
【０００５】
図６に示すフローチャートにおけるパワーオフタイマ動作におけるカウント処理は、図７に示すフローチャートのように、先ずステップＳ５でパワーオフタイマがタイムアップしたか否かを判定し、Ｙｅｓの場合には動作終了とされ、Ｎｏの場合には、ステップＳ６に進んでパワーオフタイマのデクリメントが行われた後に動作終了とされるように実行される。
【０００６】
以上のようなディスク再生装置には、パワーオフ制御部が設けられると共に、アラーム制御部が付加して設けられる場合が多い、このアラーム制御部は、テンキー等で入力された設定時刻に現在時刻が到達したときに所定作動、例えばディスク再生の開始動作を行わせるように構成され、ユーザーが好みの時刻に再生等の動作を開始させることができる。
【０００７】
【発明が解決しようとする課題】
従来のアラーム機能付き電子機器は、特定動作が所定継続時間を超えたときに電源を実質的に切断させるパワーオフ制御部の単独動作については別段の問題がないものの、設定時刻に到達したときに所定作動を行わせるアラーム制御部が作動状態にされているときに問題が生じる。
【０００８】
即ち、アラーム制御部が作動状態にされ、設定時刻に達する以前の時点で、パワーオフ制御部が作動してパワーオフとされてしまった場合には、アラーム制御部への電源供給が断たれてしまうので、アラーム制御が行われなくなってしまうという問題がある。
【０００９】
そこで、本発明の目的は、パワーオフ制御部の作動を確実に行うことができると共に、アラーム制御部が作動状態に設定されているときに、当該パワーオフ制御がなされることによってアラーム制御部の動作が行われなくなることを防止したアラーム機能付き電子機器を提供することにある。
【００１０】
【課題を解決するための手段】
前記課題を解決するために、本発明によるアラーム機能付き電子機器は、次に記載するような特徴的な構成を採用している。
【００１１】
（１）設定時刻に到達したときに所定作動を行わせるアラーム制御部と、特定動作が所定継続時間を超えたときに電源を実質的に切断させるパワーオフ制御部を有する電子機器において、
前記アラーム制御部が上記設定時刻に作動を行わせるための待機状態にあるときに、前記パワーオフ制御部を非作動状態に制御する制御部を設けるアラーム機能付き電子機器。
【００１２】
（２）前記電子機器は、電源電池を主動作源とするように構成された上記（１１）のアラーム機能付き電子機器。
【００１３】
（３）前記制御部は、前記パワーオフ制御部の前記特定動作を、各種操作指令キーの操作がなされない状態に構成する上記（１）のアラーム機能付き電子機器。
【００１４】
（４）前記電子機器は、ディスク再生及び／または記録をし得るように構成され、前記制御部は、前記パワーオフ制御部の前記特定動作を、前記ディスクの回転停止状態に構成する上記（１）のアラーム機能付き電子機器。
【００１５】
（５）前記制御部は、前記パワーオフ制御部によって前記電子機器の動作を複合的に制御するＣＰＵをスリープ状態に制御するように構成する上記（１）のアラーム機能付き電子機器。のアラーム機能付き電子機器。
【００１６】
（６）前記制御部は、前記アラーム制御部が上記設定時刻に作動を行わせるための待機状態にあるときに、前記パワーオフ制御部を作動状態に制御すると共に、前記アラーム制御部が上記設定時刻に達したときに前記所定作動を行わせるように制御する機能を付加して構成する上記（１）乃至（５）のいずれかのアラーム機能付き電子機器。
【００１７】
【発明の実施の形態】
以下、本発明の一実施の形態について図１乃至図５を用いて詳細に説明する。本実施形態は、「アラーム機能付き電子機器」が「ディスク再生装置」である場合に本発明を適用した例である。
【００１８】
先ず、構成を図１を用いて説明する。ディスク再生部１は、例えばＣＤを再生するように構成され、ディスク停止検出部２とアラーム部３とオフタイマ部４とを含んで構成されている。
【００１９】
ディスク再生部１を含む電子機器の全体は、電源電池を主動作源とするように構成され、ディスク再生部１はＣＰＵ５によって複合的に制御されるように構成されている。また、ＣＰＵ５には、アラーム設定６とオフタイマ設定７と操作指令釦８が接続されている。
【００２０】
アラーム部３は、アラーム設定６によって設定された設定時刻に到達したときに所定作動、例えばディスク再生開始動作を行わせるアラーム制御部を構成し、オフタイマ部４は、特定動作、例えばディスク回転の停止動作が所定継続時間を超えたときに電源を実質的に切断させるパワーオフ制御部を構成する。操作指令釦８は、多数の操作釦で形成され、ディスク再生部１における再生動作の制御指令、アラームモード、オフタイマモードの特定等々を行うためのものである。
【００２１】
また、詳細動作は後述するも主としてＣＰＵ５による制御で、アラーム部３が設定時刻に作動を行わせるための待機状態にあるときに、オフタイマ部４を非作動状態に制御する制御部を含んで構成されている。
【００２２】
従って、オフタイマ部４によるオートパワーオフ動作の処理は、図２に示すフローチャートのように、先ず、ステップＳ７でアラーム部３がオンモードと設定されているか否かが判定され、Ｎｏの場合にはステップＳ９に進み、Ｙｅｓの場合にはステップＳ８に進んでオフタイマ部４が３分にセットされた後にステップＳ９に進む。
【００２３】
ステップＳ９は、ディスクが停止状態であるか否かをディスク停止検出部２の出力によって判定するもので、Ｙｅｓの場合には、ステップＳ１１に進み、Ｎｏの場合には、ステップＳ１０に進んでオフタイマ部４が３分にセットされた後にステップＳ１１に進む。
【００２４】
ステップＳ１１は、オフタイマ部４がタイムアップしたか否かを判定するもので、Ｎｏの場合には一連動作が終了とされ、Ｙｅｓの場合にはステップＳ１２に進んでパワーオフ処理、即ちＣＰＵ５がスリープ状態にした後に一連動作が終了とされる．
【００２５】
アラーム部３によるアラーム動作処理は、図３に示すフローチャートのように、先ずステップＳ１３でアラーム部３がオンモードと設定されているか否かが判定され、Ｎｏの場合には一連動作が終了とされ、Ｙｅｓの場合にはステップＳ１４に進む。
【００２６】
ステップＳ１４は、アラーム部３がタイムアップしたか否かを判定するもので、Ｎｏの場合には一連動作が終了とされ、Ｙｅｓの場合にはステップＳ１５に進んでアラーム動作、例えばビープ音を鳴らしたり、所定の再生動作開始されることによって一連動作が終了とされる．
【００２７】
また、操作指令釦８によるキー入力の有無は、図４に示すフローチャートのように処理され、先ずステップＳ１６で操作指令釦８による入力の有無が判定され、Ｎｏの場合には、一連動作が終了とされ、Ｙｅｓの場合にはステップＳ１７に進む。
【００２８】
ステップＳ１７は、アラームビープ音を鳴らし中であるか否かを判定するものでＮｏの場合には、一連動作が終了とされ、Ｙｅｓの場合にはステップＳ１８に進んでアラームオフされた後に一連動作が終了とされる。
【００２９】
オフタイマ部４の動作におけるカウント処理は、図５に示すフローチャートのように、先ずステップＳ１９でパワーオフタイマ（オフタイマ部４）がタイムアップしたか否かを判定し、Ｙｅｓの場合にはステップＳ２１に進み、Ｎｏの場合には、ステップＳ２０に進んでオフタイマ部４のデクリメントが行われた後にステップＳ２１に進む。
【００３０】
ステップＳ２１は、アラームタイマ（アラーム部３）がタイムアップしたか否かを判定するもので、Ｙｅｓの場合には一連動作が終了とされ、Ｎｏの場合にはステップＳ２２に進んでアラーム部３のデクリメントが行われた後に一連動作が終了とされる。
【００３１】
従って、本実施形態においては、ディスクの回転が停止されているときに、アラーム部３が機能設定されているときにはオフタイマ部４がある一定の時間間隔で任意の値にセットされる。このために、アラーム部３が機能設定されているときは、オフタイマ部４のタイムアップがなされることがなくなり、自動的（強制的）に電源がオフされることが無くなり、アラーム機能が有効に働くことになる。
【００３２】
以上の実施形態は、電子機器の全体動作を複合的に制御するＣＰＵをスリープ状態に制御するように構成されているが、主電源を切断するように制御しても良い。
また、パワーオフ制御部における「特定動作」を、各種操作指令キーの操作がなされない状態とし、これが所定の継続時間を超えたときにパワーオフ制御を実行するように構成しても良い。
【００３３】
本実施形態はディスク再生装置に本発明を適用した例であるが、図１に破線ブロックで示すようなディスク記録部９をＣＰＵ５に接続することによってディスク記録再生装置にも同様に適用できる。
【００３４】
また、本実施形態のアラーム制御は、設定時刻に作動を行わせるための待機状態にあるときに、パワーオフ制御を作動状態に制御すると共に、アラーム制御が設定時刻に達したときに所定作動を行わせるように制御する機能を付加して構成するようにしても良いことは勿論である。
【００３５】
以上、本発明によるアラーム機能付き電子機器の好適実施形態の構成および動作を詳述した。しかし、斯かる実施形態は、本発明の単なる例示に過ぎず、何ら本発明を限定するものではない。本発明の要旨を逸脱することなく、特定用途に応じて種々の変形変更が可能であること、当業者には容易に理解できよう。
【００３６】
【発明の効果】
以上の説明で明らかなように、本発明によるアラーム機能付き電子機器は、動作状態が特定動作にされ、アラーム機能が設定されているときにはオフタイマ制御がある一定の時間間隔で任意の値にセットされ、このために、アラーム制御が機能設定されているときは、オフタイマ制御のタイムアップがなされることがなくなり、自動的（強制的）に電源がオフされることが無くなり、アラーム機能が有効に働くことになる。
【００３７】
従って、本発明によるアラーム機能付き電子機器は、パワーオフ制御部の作動を確実に行うことができると共に、アラーム制御部が作動状態に設定されているときに、当該パワーオフ制御がなされることによってアラーム制御部の動作が行われなくなることを防止したアラーム機能付き電子機器を提供することができる。
【図面の簡単な説明】
【図１】本発明の一実施の形態によるアラーム機能付き電子機器の全体構成を示すブロック回路図である。
【図２】図１に示されるアラーム機能付き電子機器のオートパワーオフ動作を説明するためのフローチャートである。
【図３】図１に示されるアラーム機能付き電子機器のアラーム処理の動作を説明するためのフローチャートである。
【図４】図１に示されるアラーム機能付き電子機器のキー入力処理の動作を説明するためのフローチャートである。
【図５】図１に示されるアラーム機能付き電子機器のタイマカウント処理の動作を説明するためのフローチャートである。
【図６】従来装置のオートパワーオフ処理の動作を説明するためのフローチャートである。
【図７】従来装置のタイマカウント処理の動作を説明するためのフローチャートである。
【符号の説明】
１　ディスク再生部
２　ディスク停止検出部
３　アラーム部
４　オフタイマ部
５　ＣＰＵ
６　アラーム設定
７　オフタイマ設定
８　操作指令釦
９　ディスク記録部
【図１】
2004062988.tif 000003
【図２】
2004062988.tif 000004
【図３】
2004062988.tif 000005
【図４】
2004062988.tif 000006
【図５】
2004062988.tif 000007
【図６】
2004062988.tif 000008
【図７】
2004062988.tif 000009